(57)【要約】【課題】システム導入のコストを安くし、防災に係るさまざまな情報を避難者や消防士、防災機器の管理者などに効率的に提供すること。【解決手段】施設内の各箇所に設置された誘導灯１０に取り付けられたＲＦＩＤタグ１１が、無線通信により送信された防災に係る情報を記憶し、リーダ・ライタ搭載携帯端末１２が、ＲＦＩＤタグ１１に記憶された防災に係る情報を無線通信により読み取り、サーバ装置１３が、ＲＦＩＤタグ１１から読み取られた情報に基づいて災害の状況判定をおこなって防災に係る情報を生成し、ＲＦＩＤタグ１１が、サーバ装置１３により生成された防災に係る情報をリーダ・ライタ搭載携帯端末１２を介して受信し、受信した情報を記憶することにより、その情報を避難者や消防士、防災機器の管理者などがリーダ・ライタ搭載携帯端末１２を用いて読み出せるようにする。【選択図】        図１
2006293774.tif 000002
【特許請求の範囲】
【請求項１】
施設内に設置され、防災対策に用いられる防災機器であって、
無線通信により送信する防災に係る第１の情報または無線通信により受信した防災に係る第２の情報を記憶するＲＦＩＤタグ
を備えたことを特徴とする防災機器。
【請求項２】
前記ＲＦＩＤタグは、無線通信により送信した前記第１の情報に基づいて状況判定がなされることにより生成された情報を前記第２の情報として無線通信により受信して、受信した情報を記憶することを特徴とする請求項１に記載の防災機器。
【請求項３】
周囲状況に係る情報を取得するセンサをさらに備え、前記ＲＦＩＤタグは、前記センサにより取得された周辺状況に係る情報を前記第１の情報として記憶することを特徴とすることを特徴とする請求項１または２に記載の防災機器。
【請求項４】
前記ＲＦＩＤタグは、各地点に設置された防災機器の位置に係る情報を前記第１の情報として記憶することを特徴とする請求項１、２または３に記載の防災機器。
【請求項５】
前記ＲＦＩＤタグは、ＲＦＩＤタグとの間で通信をおこなう通信装置の通信履歴に係る情報を前記第１の情報として記憶することを特徴とする請求項１〜４のいずれか１つに記載の防災機器。
【請求項６】
前記ＲＦＩＤタグは、防災機器の維持または管理に係る情報を前記第２の情報として記憶することを特徴とする請求項１〜５のいずれか１つに記載の防災機器。
【請求項７】
前記ＲＦＩＤタグは、避難経路に係る情報を前記第２の情報として記憶することを特徴とする請求項１〜６のいずれか１つに記載の防災機器。
【請求項８】
前記ＲＦＩＤタグは、災害発生の状況に係る情報を前記第２の情報として記憶することを特徴とする請求項１〜７のいずれか１つに記載の防災機器。
【請求項９】
前記ＲＦＩＤタグは、ＲＦＩＤタグとの間で通信をおこなった各通信装置の位置に係る情報を前記第２の情報として記憶することを特徴とする請求項１〜８のいずれか１つに記載の防災機器。
【請求項１０】
防災に係る情報を管理する防災情報管理システムであって、
無線通信により送信する防災に係る情報を記憶するＲＦＩＤタグと、
前記ＲＦＩＤタグが取り付けられ、施設内の各箇所に設置された防災機器と、
前記ＲＦＩＤタグに記憶された防災に係る情報を無線通信により読み取る情報読取手段と、
を備えたことを特徴とする防災情報管理システム。
【発明の詳細な説明】
【技術分野】
【０００１】
本発明は、施設内に設置され、防災対策に用いられる防災機器および防災に係る情報を管理する防災情報管理システムおよび防災情報管理方法に関し、特に、導入コストが安く、防災に係るさまざまな情報を避難者や消防士などに効率的に提供することができる防災機器および防災情報管理システムに関する。
【背景技術】
【０００２】
従来、人が多く集まるホテルや地下街などの施設において、火災などの災害が発生したような場合に避難口の位置や避難口までの経路を人に知らせ、人を安全に避難させる誘導灯が広く利用されている。
【０００３】
この誘導灯は、施設内の複数の箇所に設置されているが、たとえば、火災が発生したような場合には、必ずしもあらかじめ決められている避難経路のとおりに避難することが安全であるとは限らない。
【０００４】
すなわち、火災があらかじめ決められている避難経路の近くで発生した場合には、避難経路のとおりに避難することは極めて危険であり、火災の発生箇所に応じて避難経路を変更することが必要となる。
【０００５】
そのため、ホストコンピュータが、火災発生の状況に係る情報を収集し、収集した情報に基づいて最適な避難経路を判定し、その判定結果を施設の各所に配置された表示装置に表示して人に通知する技術が考案されている（たとえば、特許文献１を参照）。
【０００６】
また、ホストコンピュータで集中的に周囲の状況判定をおこなうのではなく、施設の各地点に設置された装置が自律的に周囲の状況判定をおこない、その判定の結果に基づいて誘導灯などの装置に動作指示を与える技術が考案されている（たとえば、特許文献２を参照）。
【０００７】
【特許文献１】特開平６−１１１１７２号公報
【特許文献２】特開２００２−２９８２２８号公報
【発明の開示】
【発明が解決しようとする課題】
【０００８】
しかしながら、上述した従来技術は、火災が発生した場合に人に避難経路を単に通知するだけであり、さらに詳細な情報を火災現場にいる避難者や消防士などに提供するものではなかった。
【０００９】
すなわち、上述した従来技術は、人の避難誘導に目的が特化されており、防災に係るさまざまな情報を避難者や消防士、防災機器の管理者などに効率的に提供するものではなく、また、特別な装置を用いるため、システム導入にかかるコストが高くなるという問題があった。
【００１０】
そのため、システム導入のコストを安くし、防災に係るさまざまな情報を避難者や消防士、防災機器の管理者などに効率的に提供することができる技術の開発が重要な課題となってきている。
【００１１】
本発明は、上述した従来技術による問題点を解消するためになされたものであり、システム導入のコストを安くし、防災に係るさまざまな情報を避難者や消防士、防災機器の管理者などに効率的に提供することができる防災機器、防災情報管理システムおよび防災情報管理方法を提供することを目的とする。
【課題を解決するための手段】
【００１２】
上述した課題を解決し、目的を達成するため、本発明は、施設内に設置され、防災対策に用いられる防災機器であって、無線通信により送信する防災に係る第１の情報または無線通信により受信した防災に係る第２の情報を記憶するＲＦＩＤタグを備えたことを特徴とする。
【００１３】
また、本発明は、上記発明において、前記ＲＦＩＤタグは、無線通信により送信した前記第１の情報に基づいて状況判定がなされることにより生成された情報を前記第２の情報として無線通信により受信して、受信した情報を記憶することを特徴とする。
【００１４】
また、本発明は、上記発明において、周囲状況に係る情報を取得するセンサをさらに備え、前記ＲＦＩＤタグは、前記センサにより取得された周辺状況に係る情報を前記第１の情報として記憶することを特徴とすることを特徴とする。
【００１５】
また、本発明は、上記発明において、前記ＲＦＩＤタグは、各地点に設置された防災機器の位置に係る情報を前記第１の情報として記憶することを特徴とする。
【００１６】
また、本発明は、上記発明において、前記ＲＦＩＤタグは、ＲＦＩＤタグとの間で通信をおこなう通信装置の通信履歴に係る情報を前記第１の情報として記憶することを特徴とする。
【００１７】
また、本発明は、上記発明において、前記ＲＦＩＤタグは、防災機器の維持または管理に係る情報を前記第２の情報として記憶することを特徴とする。
【００１８】
また、本発明は、上記発明において、前記ＲＦＩＤタグは、避難経路に係る情報を前記第２の情報として記憶することを特徴とする。
【００１９】
また、本発明は、上記発明において、前記ＲＦＩＤタグは、災害発生の状況に係る情報を前記第２の情報として記憶することを特徴とする。
【００２０】
また、本発明は、上記発明において、前記ＲＦＩＤタグは、ＲＦＩＤタグとの間で通信をおこなった各通信装置の位置に係る情報を前記第２の情報として記憶することを特徴とする。
【００２１】
また、本発明は、防災に係る情報を管理する防災情報管理システムであって、無線通信により送信する防災に係る情報を記憶するＲＦＩＤタグと、前記ＲＦＩＤタグが取り付けられ、施設内の各箇所に設置された防災機器と、前記ＲＦＩＤタグに記憶された防災に係る情報を無線通信により読み取る情報読取手段と、を備えたことを特徴とする。
【００２２】
また、本発明は、上記発明において、周囲状況に係る情報を取得するセンサをさらに備え、前記ＲＦＩＤタグは、前記センサにより取得された周辺状況に係る情報を防災に係る情報として記憶することを特徴とする。
【００２３】
また、本発明は、上記発明において、前記情報読取手段により読み取られた情報に基づいて状況判定をおこなう状況判定手段をさらに備えたことを特徴とする。
【００２４】
また、本発明は、上記発明において、前記ＲＦＩＤタグは、無線通信により受信した防災に係る情報をさらに記憶し、前記状況判定手段により判定された結果に基づいて生成された防災に係る情報をＲＦＩＤタグに送信することによりＲＦＩＤタグに当該情報を記憶させる情報送信手段をさらに備えたことを特徴とする。
【００２５】
また、本発明は、防災に係る情報を管理する防災情報管理方法であって、無線通信により送信する情報を記憶するＲＦＩＤタグに防災に係る情報を記憶する情報記憶工程と、前記ＲＦＩＤタグに記憶された防災に係る情報を無線通信により読み取る情報読取工程と、を含んだことを特徴とする。
【００２６】
また、本発明は、上記発明において、前記情報記憶工程は、周囲状況に係る情報を取得するセンサにより取得された周辺状況に係る情報をＲＦＩＤタグに防災に係る情報として記憶することを特徴とする。
【００２７】
また、本発明は、上記発明において、前記情報読取工程により読み取られた情報に基づいて状況判定をおこなう状況判定工程をさらに含んだことを特徴とする。
【００２８】
また、本発明は、上記発明において、前記ＲＦＩＤタグは、無線通信により受信した防災に係る情報をさらに記憶するものであり、前記状況判定工程により判定された結果に基づいて生成された防災に係る情報をＲＦＩＤタグに送信することによりＲＦＩＤタグに当該情報を記憶させる情報送信工程をさらに含んだことを特徴とする。
【発明の効果】
【００２９】
本発明によれば、施設内に設置され、防災対策に用いられる防災機器が、無線通信により送信する防災に係る第１の情報または無線通信により受信した防災に係る第２の情報を記憶するＲＦＩＤタグを備えたこととしたので、ＲＦＩＤタグにさまざまな情報を記憶させ、その情報を読み出すことにより、システム導入のコストを安くし、防災に係るさまざまな情報を避難者や消防士、防災機器の管理者などに効率的に提供することができるという効果を奏する。
【００３０】
また、本発明によれば、ＲＦＩＤタグは、無線通信により送信した第１の情報に基づいて状況判定がなされることにより生成された情報を、第２の情報として無線通信により受信して、受信した情報を記憶することとしたので、災害状況の変化に応じてＲＦＩＤタグに記憶させる情報を更新することができ、防災に係る最新情報を避難者や消防士などに効率的に提供することができるという効果を奏する。
【００３１】
また、本発明によれば、ＲＦＩＤタグは、周囲状況に係る情報を取得するセンサにより取得された周辺状況に係る情報を第１の情報として記憶することとしたので、センサにより取得された情報を他の装置に送信することができ、他の装置はその情報を災害の発生状況の判定に用いることができるという効果を奏する。
【００３２】
また、本発明によれば、ＲＦＩＤタグは、各地点に設置された防災機器の位置に係る情報を第１の情報として記憶することとしたので、その情報を読み出すことにより、避難者や消防士などが自分がいる位置を容易に確認することができるという効果を奏する。
【００３３】
また、本発明によれば、ＲＦＩＤタグは、ＲＦＩＤタグとの間で通信をおこなう通信装置の通信履歴に係る情報を第１の情報として記憶することとしたので、その情報を読み出すことにより、誰がいつ防災装置付近を通過したかといった情報を消防士などに効率的に提供することができるという効果を奏する。
【００３４】
また、本発明によれば、ＲＦＩＤタグは、防災機器の維持または管理に係る情報を第２の情報として記憶することとしたので、その情報を読み出すことにより、防災機器の管理者が、防災機器の維持または管理を効率的におこなうことができるという効果を奏する。
【００３５】
また、本発明によれば、ＲＦＩＤタグは、避難経路に係る情報を第２の情報として記憶することとしたので、その情報を読み出すことにより、避難経路に係る情報を避難者や消防士などに効率的に提供することができるという効果を奏する。
【００３６】
また、本発明によれば、ＲＦＩＤタグは、災害発生の状況に係る情報を第２の情報として記憶することとしたので、その情報を読み出すことにより、火災の発生箇所や火災の消化状況などの災害発生の状況に係る情報を避難者や消防士などに効率的に提供することができるという効果を奏する。
【００３７】
また、本発明によれば、ＲＦＩＤタグは、ＲＦＩＤタグとの間で通信をおこなった各通信装置の位置に係る情報を第２の情報として記憶することとしたので、その情報を読み出すことにより、各通信装置を有する所有者の位置の情報を消防士などに効率的に提供することができるという効果を奏する。
【００３８】
また、本発明によれば、無線通信により送信する情報を記憶するＲＦＩＤタグに防災に係る情報を記憶し、ＲＦＩＤタグに記憶した防災に係る情報を無線通信により読み取ることとしたので、ＲＦＩＤタグにさまざまな情報を記憶させ、その情報を読み出すことにより、システム導入のコストを安くし、防災に係るさまざまな情報を避難者や消防士、防災機器の管理者などに効率的に提供することができるという効果を奏する。
【００３９】
また、本発明によれば、周囲状況に係る情報を取得するセンサにより取得された周辺状況に係る情報をＲＦＩＤタグに防災に係る情報として記憶することとしたので、センサにより取得された情報を他の装置に送信することができ、他の装置はその情報を災害の発生状況の判定に用いることができるようになるという効果を奏する。
【００４０】
また、本発明によれば、ＲＦＩＤタグから読み取られた情報に基づいて状況判定をおこなうこととしたので、災害状況の判定を効率的におこなえるシステムを低コストで導入することができるという効果を奏する。
【００４１】
また、本発明によれば、状況判定の結果に基づいて生成された防災に係る情報を、無線通信により受信した防災に係る情報を記憶するＲＦＩＤタグに送信することによりＲＦＩＤタグに当該情報を記憶させることとしたので、その情報を読み出すことにより、防災に係るさまざまな情報を避難者や消防士などに効率的に提供することができるという効果を奏する。
【発明を実施するための最良の形態】
【００４２】
以下に添付図面を参照して、本発明に係る防災機器および防災情報管理システムの好適な実施例を詳細に説明する。
【実施例】
【００４３】
まず、本発明に係る防災情報管理処理の概念について説明する。図１は、本発明に係る防災情報管理処理の概念を示す図である。図１に示すように、この防災情報管理処理では、誘導灯１０にＲＦＩＤ（Radio Frequency Identification）タグ１１を取り付け、ＲＦＩＤタグ１１に防災に係るさまざまな情報を記憶させる。
【００４４】
ここで、誘導灯１０は、ホテルや地下街などの施設内の各箇所に設置され、火災などの災害発生時に人が避難するのを誘導する誘導灯である。また、ＲＦＩＤタグ１１は、データを記憶するメモリと、無線通信をおこなうためのアンテナおよび制御回路とを有する無線ＩＣ（Integrated Circuit）タグである。
【００４５】
なお、ここでは、ＲＦＩＤタグ１１を誘導灯１０に取り付けることとしているが、これに限定されるものではなく、火災発生の検知に用いられる温度センサや湿度センサ、煙発生検知センサ、消火をおこなうスプリンクラーなどの他の防災機器にＲＦＩＤタグ１１を取り付けることとしてもよい。
【００４６】
この防災情報管理処理においては、避難者や消防隊員はそれぞれ、リーダ・ライタ搭載携帯端末１２を持っている。リーダ・ライタ搭載携帯端末１２は、ＲＦＩＤタグ１１との間で無線通信をおこない、ＲＦＩＤタグ１１にデータを記憶させたり、ＲＦＩＤタグ１１に記憶されたデータを読み取ったりするリーダ・ライタが搭載された携帯端末である。
【００４７】
また、携帯端末とは、無線通信をおこなって情報をサーバ装置１３に送信する機能や、他の装置から受信した情報を内蔵ディスプレイに表示する機能を有する携帯電話やＰＨＳ（Personal Handyphone System）、無線機、ＰＤＡ（Personal Digital Assistants）などの装置である。
【００４８】
避難者や消防隊員は、このリーダ・ライタ搭載携帯端末１２を用いてＲＦＩＤタグ１１に記憶された防災に係る情報を読み取り、携帯端末の内蔵ディスプレイに読み取った情報を表示させる。
【００４９】
ここで、防災に係る情報とは、誘導灯１０の設置位置情報、温度情報、湿度情報、煙発生情報、防災機器の作動状況の情報、リーダ・ライタ搭載携帯端末１２の通信履歴の情報、防災機器の維持・管理情報、避難誘導経路の情報、携帯端末の現在位置の情報などである。
【００５０】
誘導灯１０の設置位置情報は、誘導灯１０が設置された位置の情報である。温度情報、湿度情報、煙発生情報は、温度センサ、湿度センサ、煙発生検知センサ（図示せず）により検知された温度、湿度、煙発生の有無の情報である。
【００５１】
ここで、温度センサ、湿度センサ、煙発生検知センサは、無線電波により情報を送信する機能を有し、情報をＲＦＩＤタグ１１に送信することによりＲＦＩＤタグ１１に各情報を記憶させる。
【００５２】
防災機器の作動状況の情報は、誘導灯１０やセンサが作動しているか否かを示す情報である。リーダ・ライタ搭載携帯端末１２の通信履歴の情報は、ＲＦＩＤタグ１１とリーダ・ライタ搭載携帯端末１２との間の通信履歴の情報である。この情報は、リーダ・ライタ搭載携帯端末１２により書き込まれるものである。
【００５３】
具体的には、リーダ・ライタ搭載携帯端末１２は、ＲＦＩＤタグ１１との間で通信をおこなった時刻の情報と、リーダ・ライタ搭載携帯端末１２の所有者を識別する識別情報とをＲＦＩＤタグ１１に記憶させる。
【００５４】
消防隊員は、火災などが発生した場合に、この情報をＲＦＩＤタグ１１からリーダ・ライタ搭載携帯端末１２を用いて読み取ることにより、いつ誰が誘導灯１０付近を通過したかを把握することができる。
【００５５】
防災機器の維持・管理情報は、誘導灯１０やセンサの製造年月日、誘導灯１０やセンサに発生した故障や破損の情報、誘導灯１０やセンサに対しておこなった修理の情報などを記憶したものである。
【００５６】
メインテナンス時には、防災機器の維持・管理情報が防災機器の管理者などによりリーダ・ライタ搭載携帯端末１２を用いて読み取られ、その情報が参照される。
【００５７】
避難誘導経路の情報は、火災発生時における避難経路を示す情報である。具体的には、避難すべき方向、避難口までの距離などの情報を記憶したものである。避難者は、この情報をリーダ・ライタ搭載携帯端末１２で読み取ることにより、避難経路を容易に把握することができる。
【００５８】
携帯端末の現在位置の情報は、ＲＦＩＤタグ１１と通信をおこなった各リーダ・ライタ搭載携帯端末１２の現在位置の情報である。この情報は、前述の誘導灯１０の設置位置情報とリーダ・ライタ搭載携帯端末１２の通信履歴の情報とを基にして得られる情報である。
【００５９】
具体的には、各ＲＦＩＤタグ１１に記憶された各リーダ・ライタ搭載携帯端末１２の通信履歴の情報から、各リーダ・ライタ搭載携帯端末１２が最後に通信をおこなったＲＦＩＤタグ１１がどれであるかを調べる。
【００６０】
そして、そのＲＦＩＤタグ１１が取り付けられている位置を誘導灯１０の設置位置情報に基づいて調べることにより、各リーダ・ライタ搭載携帯端末１２の所有者の現在位置が判定される。
【００６１】
また、図１に示すサーバ装置１３は、リーダ・ライタ搭載携帯端末１２がＲＦＩＤタグ１１から読み取った情報をリーダ・ライタ搭載携帯端末１２から取得し、取得した情報の管理や誘導灯１０が設置されている施設の監視、取得した情報の分析などをおこなう装置である。
【００６２】
このサーバ装置１３は、情報を分析した後、分析結果をリーダ・ライタ搭載携帯端末１２に送信する。そして、分析結果を受信したリーダ・ライタ搭載携帯端末１２は、その分析結果を内蔵ディスプレイに表示して、避難者や消防隊員に通知する。
【００６３】
さらに、リーダ・ライタ搭載携帯端末１２は、分析結果をＲＦＩＤタグ１１に送信し、ＲＦＩＤタグ１１に記憶させる。これにより、分析結果を受信した避難者あるいは消防隊員以外の人も、分析結果をＲＦＩＤタグ１１からリーダ・ライタ搭載携帯端末１２で読み取ることができるようになる。
【００６４】
また、図２は、火災発生時におこなわれる防災情報管理処理について説明する図である。図２に示すように、誘導灯１０ａの付近で火災が発生した場合、前述の温度センサ、湿度センサ、煙発生検知センサが、誘導灯１０ａに取り付けられたＲＦＩＤタグ１１ａに温度情報、湿度情報および煙検知情報を記憶させる。
【００６５】
そして、誘導灯１０ａの付近にいる避難者あるいは消防隊員が所持するリーダ・ライタ搭載携帯端末１２ａにより、ＲＦＩＤタグ１１ａに記憶されている誘導灯１０の設置位置情報や温度情報、湿度情報、煙検知情報、リーダ・ライタ搭載携帯端末１２の通信履歴の情報などが読み出され、サーバ装置１３にそれらの情報が送信される。
【００６６】
ここで、ＲＦＩＤタグ１１ａは、記憶している情報を定期的に送信するアクティブ型のＲＦＩＤタグであってもよいし、ＲＦＩＤタグ１１ａは、リーダ・ライタ搭載携帯端末１２ａから定期的に発信される情報送信要求に応じて情報を送信するパッシブ型のＲＦＩＤタグでもよい。
【００６７】
アクティブ型のＲＦＩＤタグの場合は、無線通信をおこなうために電力を消費するが、ＲＦＩＤタグ１１ａ〜１１ｃを、火災などの非常時であっても停電しない電源とを有する誘導灯１０ａ〜１０ｃに取り付けることにより、非常時でも安定的に稼動させることができる。
【００６８】
また、アクティブ型、パッシブ型にかかわらず、強固な筐体を有する誘導灯１０ａ〜１０ｃの内側などにＲＦＩＤタグ１１ａ〜１１ｃを取り付けることにより、ＲＦＩＤタグ１１ａ〜１１ｃが損傷するのを防止することができる。
【００６９】
一方、サーバ装置１３は、リーダ・ライタ搭載携帯端末１２ａから誘導灯１０の設置位置情報や温度情報、湿度情報、煙検知情報を取得すると、取得した情報を基にして火災の発生箇所を判定する。そして、サーバ装置１３は、消防隊員が有するリーダ・ライタ搭載携帯端末１２ａには、火災の発生箇所までの経路の情報を送信する。
【００７０】
この情報を受信したリーダ・ライタ搭載携帯端末１２ａは、内蔵ディスプレイに火災の発生箇所までの経路の情報を表示し、また、他の誘導灯１０ｂに取り付けられているＲＦＩＤタグ１１ｂに火災の発生箇所の情報を記憶させる。
【００７１】
また、サーバ装置１３は、火災の発生箇所を判定した後、あらかじめ設定してある避難経路が火災の発生箇所の近くを通っている場合には、別の避難経路を設定し、避難者が有するリーダ・ライタ搭載携帯端末１２ｂに避難経路の情報（たとえば、「誘導灯１０ｃ方向へ避難せよ。」など）を送信する。
【００７２】
この情報を受信したリーダ・ライタ搭載携帯端末１２ｂは、ディスプレイに避難経路を表示し、また、他の誘導灯１０ｂ，１０ｃに取り付けられているＲＦＩＤタグ１１ｂ，１１ｃに避難経路の情報を記憶させる。
【００７３】
また、サーバ装置１３は、リーダ・ライタ搭載携帯端末１２ａから取得した温度情報、湿度情報、煙検知情報を基にして火災の消化状況を判定する。そして、サーバ装置１３は、避難者や消防隊員が有するリーダ・ライタ搭載携帯端末１２ａ，１２ｂに火災の消化状況の情報を送信する。
【００７４】
さらに、サーバ装置１３は、リーダ・ライタ搭載携帯端末１２ａにより受信した情報を基にして、ＲＦＩＤタグ１１と通信をおこなった各リーダ・ライタ搭載携帯端末１２ａの所有者の現在位置を判定する。
【００７５】
具体的には、サーバ装置１３は、各ＲＦＩＤタグ１１ａ〜１１ｃに記憶されたリーダ・ライタ搭載携帯端末１２ａ，１２ｂの通信履歴の情報から、各リーダ・ライタ搭載携帯端末１２ａ，１２ｂが最後に通信をおこなったＲＦＩＤタグ１１ａ〜１１ｃがどれであるかを調べる。
【００７６】
そして、サーバ装置１３は、そのＲＦＩＤタグ１１ａ〜１１ｃが取り付けられている位置を誘導灯１０ａ〜１０ｃの設置位置情報を基にして調べることにより、各リーダ・ライタ搭載携帯端末１２ａ，１２ｂの所有者の現在位置を判定し、各リーダ・ライタ搭載携帯端末１２ａ，１２ｂの所有者の現在位置の情報を各リーダ・ライタ搭載携帯端末１２ａ，１２ｂに送信する。
【００７７】
この情報を受信したリーダ・ライタ搭載携帯端末１２ａ，１２ｂは、ディスプレイに各リーダ・ライタ搭載携帯端末１２ａ，１２ｂの所有者の現在位置を表示し、また、誘導灯１０ａ〜１０ｃに取り付けられているＲＦＩＤタグ１１ａ〜１１ｃに各リーダ・ライタ搭載携帯端末１２ａ，１２ｂの所有者の現在位置の情報を記憶させる。
【００７８】
また、火災が発生した場合には、サーバ装置１３は、ネットワークを介して接続された消防署の火災監視装置（図示せず）などに火災の発生情報を送信することとしてもよい。さらに、この火災監視装置が、消防車などに火災の発生情報を通知し、消防車を火災現場に急行させることとしてもよい。
【００７９】
さらに、サーバ装置１３は、ネットワークを介して接続された防火扉の制御システム（図示せず）に火災の発生情報を送信し、防火扉を作動させて火災の延焼を防ぐこととしてもよい。
【００８０】
このように、本防災情報管理処理では、コストが安いＲＦＩＤタグ１１に防災に係るさまざまな情報を記憶し、その情報を避難者や消防隊員、防災機器の管理者にリーダ・ライタ搭載携帯端末１２で読み取らせることとしているので、システムの導入コストが安くなり、また、防災に係るさまざまな情報を避難者や消防士、防災機器の管理者などに効率的に提供することができるようになる。
【００８１】
つぎに、本実施例に係る防災情報管理システムの構成について説明する。図３は、本実施例に係る防災情報管理システムの構成について説明する図である。
【００８２】
図３に示すように、この防災情報管理システムは、誘導灯１０、ＲＦＩＤタグ１１、リーダ・ライタ搭載携帯端末１２、サーバ装置１３、センサ１４、クライアント装置１５、消防署火災監視装置１６、消防車無線装置１７からなる。
【００８３】
誘導灯１０およびＲＦＩＤタグ１１は、図１で説明したような誘導灯およびＲＦＩＤタグである。また、センサ１４は、温度、湿度、煙発生の有無などを検知する温度センサ、湿度センサ、煙発生検知センサなどのセンサであり、誘導灯１４に取り付けられているものである。
【００８４】
この誘導灯１０およびセンサ１４は、誘導灯１０およびセンサ１４が作動しているか否かを示すデータを無線通信によりＲＦＩＤタグ１０に送信し、ＲＦＩＤタグ１０に記憶させる装置（図示せず）を備えている。
【００８５】
ＲＦＩＤタグ１１は、通信部１１０、記憶部１１１および制御部１１２を有する。通信部１１０は、誘導灯１０やセンサ１４、リーダ・ライタ搭載携帯端末１２との間で無線通信をおこなう。記憶部１１１は、誘導灯１０やセンサ１４、リーダ・ライタ搭載携帯端末１２から受信したデータを記憶するメモリなどの記憶デバイスである。
【００８６】
この記憶部１１１は、ＩＤデータ１１１ａ、誘導灯位置データ１１１ｂ、センサ取得データ１１１ｃ、防災機器作動状況データ１１１ｄ、携帯端末通信履歴データ１１１ｅ、防災機器維持管理データ１１１ｆ、避難経路データ１１１ｇ、災害状況データ１１１ｈおよび携帯端末現在位置データ１１１ｉを記憶している。
【００８７】
ＩＤデータ１１１ａは、ＲＦＩＤタグ１１を識別する識別情報である。誘導灯位置データ１１１ｂは、ＲＦＩＤタグ１１が取り付けられている誘導灯１０の位置座標のデータである。
【００８８】
センサ取得データ１１１ｃは、センサ１４により取得された温度データや湿度データ、煙の発生を検知したか否かを示すデータなどである。防災機器作動状況データ１１１ｄは、センサ１４や誘導灯１０が作動しているか否かを示すデータである。このデータは、ＲＦＩＤタグ１１が誘導灯１０やセンサ１４と通信をおこなうことにより取得する。
【００８９】
携帯端末通信履歴データ１１１ｅは、ＲＦＩＤタグ１１がリーダ・ライタ搭載携帯端末１２との間で通信をおこなった場合に、リーダ・ライタ搭載携帯端末１２から送信されたリーダ・ライタ搭載携帯端末１２の所有者を識別する識別情報を通信時刻と対応付けて記憶したデータである。
【００９０】
火災発生時には、この携帯端末通信履歴データ１１１ｅを、消防隊員が有するリーダ・ライタ搭載携帯端末１２を用いて読み出すことにより、避難者がいつ誘導灯１０の付近を通過したかを把握することができるようになる。
【００９１】
防災機器維持管理データ１１１ｆは、誘導灯１０やセンサ１４の製造年月日のデータ、過去に発生した故障や破損状況のデータ、修理をおこなった際の修理内容などのデータを記憶したものである。この防災機器維持管理データ１１１ｆは、誘導灯１０やセンサ１４のメインテナンス時に、リーダ・ライタ搭載携帯端末１２により適宜更新される。
【００９２】
避難経路データ１１１ｇは、火災発生時の避難経路を記憶したデータである。具体的には、誘導灯１０のある位置からの避難すべき方向などの情報が記憶されている。この避難経路のデータは、施設が改築された場合や火災発生時の火災の発生箇所に応じて、リーダ・ライタ搭載携帯端末１２により適宜更新される。
【００９３】
災害状況データ１１１ｈは、火災発生時の火災の発生場所や火災の消化状況など、火災の状況に係るデータであり、サーバ装置１３による火災の状況判定の結果をリーダ・ライタ搭載携帯端末１２を介して受信し、記憶したものである。
【００９４】
携帯端末現在位置データ１１１ｉは、ＲＦＩＤタグ１１と通信をおこなった各リーダ・ライタ搭載携帯端末１２の現在位置の情報であり、サーバ装置１３による現在位置の判定の結果をリーダ・ライタ搭載携帯端末１２を介して受信し、記憶したものである。
【００９５】
制御部１１２は、ＲＦＩＤタグ１１を全体制御する制御部であり、機能部間のデータの授受などを司る。
【００９６】
リーダ・ライタ搭載携帯端末１２は、図１で説明したように、リーダ・ライタを搭載した携帯端末である。このリーダ・ライタ搭載携帯端末１２には、所有者を識別する識別情報が記憶されており、ＲＦＩＤタグ１１あるいはサーバ装置１３に適宜送信される。
【００９７】
サーバ装置１３は、図１で説明したようなサーバ装置であり、施設の複数の地点に設置された誘導灯１０のＲＦＩＤタグ１１から、ＩＤデータ１１１ａ、誘導灯位置データ１１１ｂ、センサ取得データ１１１ｃ、防災機器作動状況データ１１１ｄ、携帯端末通信履歴データ１１１ｅ、防災機器維持管理データ１１１ｆなどを取得し、取得したデータの管理や誘導灯１０が設置された施設の監視、および、取得した情報の分析をおこなう。
【００９８】
このサーバ装置１３は、通信部１３０、入力部１３１、表示部１３２、記憶部１３３、状況判定部１３４および制御部１３５を有する。
【００９９】
通信部１３０は、ネットワーク１８を介して、後に説明するクライアント装置１５や消防署火災監視装置１６との間で通信をおこなう。入力部１３１は、キーボードやマウスなどの入力デバイスである。表示部１３２は、ディスプレイなどの表示デバイスである。
【０１００】
記憶部１３３は、ハードディスク装置などの記憶デバイスである。この記憶部１３３は、ＩＤデータ１３３ａ、誘導灯位置データ１３３ｂ、センサ取得データ１３３ｃ、防災機器作動状況データ１３３ｄ、携帯端末通信履歴データ１３３ｅ、防災機器維持管理データ１３３ｆ、避難経路データ１３３ｇ、災害状況データ１３３ｈおよび携帯端末現在位置データ１３３ｉを記憶している。
【０１０１】
ＩＤデータ１３３ａは、各誘導灯１０に取り付けられたＲＦＩＤタグ１１の識別情報を記憶したデータである。誘導灯位置データ１３３ｂは、ＲＦＩＤタグ１１の識別情報とＲＦＩＤタグが取り付けられている誘導灯１０の位置座標とを対応付けて記憶したデータである。
【０１０２】
センサ取得データ１３３ｃは、各ＲＦＩＤタグ１１の識別情報と、センサ１４により各ＲＦＩＤタグ１１に記憶された温度データや湿度データ、煙の発生を検知したか否かを示すデータとを対応付けて記憶したデータである。
【０１０３】
防災機器作動状況データ１３３ｄは、各ＲＦＩＤタグ１１の識別情報と、各ＲＦＩＤタグ１１に記憶され、誘導灯１０やセンサ１４が作動しているか否かを示すデータとを対応付けて記憶したデータである。
【０１０４】
携帯端末通信履歴データ１３３ｅは、ＲＦＩＤタグ１１がリーダ・ライタ搭載携帯端末１２との間で通信をおこなった場合の、ＲＦＩＤタグ１１の識別情報、リーダ・ライタ搭載携帯端末１２の識別情報、通信時刻を対応付けて記憶したデータである。
【０１０５】
防災機器維持管理データ１３３ｆは、ＲＦＩＤタグ１１の識別情報、誘導灯１０やセンサ１４の製造年月日、誘導灯１０やセンサ１４に過去に発生した故障や破損状況のデータ、修理をおこなった際の修理内容などのデータを対応付けて記憶したデータである。
【０１０６】
この避難経路データ１３３ｇは、誘導灯１０やセンサ１４のメインテナンス時に適宜更新され、リーダ・ライタ搭載携帯端末１２を介してＲＦＩＤタグ１２に送信されることによりＲＦＩＤタグ１２に記憶される。
【０１０７】
避難経路データ１３３ｇは、各ＲＦＩＤタグ１１の識別情報と、各ＲＦＩＤタグ１１が取り付けられた誘導灯１０の位置における災害時の避難方向のデータとを対応付けて記憶したデータである。
【０１０８】
この避難経路データ１３３ｇは、施設が改築された場合や火災発生時の火災の発生箇所に応じて適宜更新され、リーダ・ライタ搭載携帯端末１２を介してＲＦＩＤタグ１２に送信されることによりＲＦＩＤタグ１２に記憶される。
【０１０９】
災害状況データ１３３ｈは、火災発生時の火災の発生場所や火災の消化状況など、火災の状況を判定した結果を記憶したデータである。
【０１１０】
携帯端末現在位置データ１３３ｉは、各ＲＦＩＤタグ１１と通信をおこなったリーダ・ライタ搭載携帯端末１２の現在位置を判定した結果を記憶したデータである。
【０１１１】
状況判定部１３４は、各ＲＦＩＤタグ１１から取得した情報に基づいて、火災発生時の火災の発生場所や火災の消化状況、最適な避難経路、ＲＦＩＤタグ１１と通信をおこなった各リーダ・ライタ搭載携帯端末１２の現在位置などの判定をおこない、判定結果を消防署火災監視装置１６やリーダ・ライタ搭載携帯端末１２に出力する判定部である。
【０１１２】
クライアント装置１５は、誘導灯１０が設置されている施設に備えられた装置であり、無線通信によりリーダ・ライタ搭載携帯端末１２との間で無線通信をおこない、また、ネットワーク１５を介してサーバ装置１３との間で有線通信をおこなう。
【０１１３】
これにより、クライアント装置１５は、避難者あるいは消防隊員などが所有するリーダ・ライタ搭載携帯端末１２とサーバ装置１３との間の通信を中継する。
【０１１４】
消防署火災監視装置１６は、消防署に設置され、火災発生の通報をサーバ装置１３から受け付ける装置である。この消防署火災監視装置１６は、火災発生の通報を受け付けた場合に、消防車無線装置１７に無線で火災発生情報を通報する。消防車無線装置１７は、消防車に搭載された無線通信装置である。
【０１１５】
つぎに、本実施例に係る防災情報管理処理の処理手順について説明する。図４は、本実施例に係る防災情報管理処理の処理手順を示すフローチャートである。
【０１１６】
図４に示すように、まず、ＲＦＩＤタグ１１の通信部１１０は、記憶部１１１に記憶された防災に係る情報を、リーダ・ライタ搭載携帯端末１２に送信する（ステップＳ１０１）。
【０１１７】
ここで、防災に係る情報とは、図３に示したＩＤデータ１１１ａ、誘導灯位置データ１１１ｂ、センサ取得データ１１１ｃ、防災機器作動状況データ１１１ｄ、携帯端末通信履歴データ１１１ｅ、あるいは、防災機器維持管理データ１１１ｆなどの情報である。
【０１１８】
そして、リーダ・ライタ搭載携帯端末１２は、その防災に係る情報を受信し（ステップＳ１０２）、受信した情報をディスプレイに表示する（ステップＳ１０３）。その後、リーダ・ライタ搭載携帯端末１２は、防災に係る情報をサーバ装置に送信する（ステップＳ１０４）。
【０１１９】
続いて、サーバ装置１３の通信部１３０は、リーダ・ライタ搭載携帯端末１２により送信された防災に係る情報を受信する（ステップＳ１０５）。
【０１２０】
そして、サーバ装置１３の記憶部１３３は、防災に係る情報を記憶して管理するとともに、状況判定部１３４は、防災に係る情報に基づいて火災発生時の火災の発生場所や火災の消化状況、最適な避難経路、ＲＦＩＤタグ１１と通信をおこなった各リーダ・ライタ搭載携帯端末１２の現在位置などの状況の監視・分析をおこなう（ステップＳ１０６）。
【０１２１】
その後、サーバ装置１３の通信部１３０は、分析結果をリーダ・ライタ搭載携帯端末１２に送信し（ステップＳ１０７）、サーバ装置１３の処理を終了する。
【０１２２】
一方、リーダ・ライタ搭載携帯端末１２は、サーバ装置１３により送信された分析結果を受信し（ステップＳ１０８）、ディスプレイにその分析結果を表示する（ステップＳ１０９）。
【０１２３】
そして、リーダ・ライタ搭載携帯端末１２は、分析結果をＲＦＩＤタグ１１に送信し（ステップＳ１１０）、このリーダ・ライタ搭載携帯端末１２の処理を終了する。
【０１２４】
その後、ＲＦＩＤタグ１１の通信部１１０は、リーダ・ライタ搭載携帯端末１２により送信された分析結果の情報を受信し（ステップＳ１１１）、ＲＦＩＤタグ１１の記憶部１１１は、分析結果を避難経路データ１１１ｇ、災害状況データ１１１ｈあるいは携帯端末現在位置データ１１１ｉとして記憶して（ステップＳ１１２）、ＲＦＩＤタグ１１の処理を終了する。
【０１２５】
なお、ここでは、リーダ・ライタ搭載携帯端末１２を用いてＲＦＩＤタグ１１にデータを書き込み、また、ＲＦＩＤタグ１１からデータを読み込むこととしているが、誘導灯１０の近辺に固定的に設置されているリーダ・ライタ搭載通信端末を用いてデータの書き込み、または、読み込みをおこなうこととしてもよい。
【０１２６】
図５は、誘導灯１０の近辺にリーダ・ライタ搭載固定端末２０が設置された場合の防災情報管理処理について説明する図である。ここでは、ＲＦＩＤタグ１１に図３で説明した防災機器維持管理データ１１１ｆを書き込む場合について説明する。
【０１２７】
図５に示すように、この防災情報管理処理では、リーダ・ライタ搭載携帯端末１２が誘導灯１０に取り付けられたＲＦＩＤタグ１１に、防災機器維持管理データ１１１ｆを書き込む代わりに、リーダ・ライタ搭載固定端末２０が防災機器維持管理データ１１１ｆをＲＦＩＤタグ１１に書き込む。
【０１２８】
ここで、リーダ・ライタ搭載固定端末２０は、ＲＦＩＤタグ１１との間で無線通信をおこない、ＲＦＩＤタグ１１にデータを記憶させたり、ＲＦＩＤタグ１１に記憶されたデータを読み取ったりするリーダ・ライタが搭載され、誘導灯１０の近辺に固定的に設置された通信端末である。
【０１２９】
このリーダ・ライタ搭載固定端末２０は、無線通信をおこなうことにより、クライアント装置１５を介してサーバ装置１３と通信をおこなう。そして、サーバ装置１３が管理している防災機器維持管理データ１３３ｆを取得して、防災機器維持管理データ１３３ｆをＲＦＩＤタグ１１に書き込む。
【０１３０】
このように、誘導灯１０の近辺に固定的に設置されたリーダ・ライタ搭載固定端末２０を用いてＲＦＩＤタグ１１にデータを書き込むことにより、誘導灯１０の近辺にリーダ・ライタ搭載携帯端末１２を携帯する人がいない場合でも、ＲＦＩＤタグ１１にリアルタイムでデータを書き込むことができる。
【０１３１】
上述してきたように、本実施例では、施設内の各箇所に設置された誘導灯１０が、無線通信により送信する防災に係る情報または無線通信により受信した防災に係る情報を記憶するＲＦＩＤタグ１１を備えたこととしたので、ＲＦＩＤタグ１１にさまざまな情報を記憶させ、その情報を読み出すことにより、システム導入のコストを安くし、防災に係るさまざまな情報を避難者や消防士、防災機器の管理者などに効率的に提供することができる。
【０１３２】
また、本実施例では、ＲＦＩＤタグ１１は、無線通信により送信した防災に係る情報に基づいて、サーバ装置１３により状況判定がなされることにより生成された情報を、防災に係る情報として無線通信により受信して、受信した情報を記憶することとしたので、火災の状況の変化に応じてＲＦＩＤタグ１１に記憶させる情報を更新することができ、防災に係る最新情報を避難者や消防士などに効率的に提供することができる。
【０１３３】
また、本実施例では、ＲＦＩＤタグ１１は、周囲状況に係る情報を取得するセンサ１４により取得された周辺状況に係る情報を防災に係る情報として記憶することとしたので、センサ１４により取得された防災に係る情報をサーバ装置１３に送信することができ、サーバ装置１３はその情報を災害の発生状況の判定に用いることができる。
【０１３４】
また、本実施例では、ＲＦＩＤタグ１１は、誘導灯位置データ１１１ｂを防災に係る情報として記憶することとしたので、その情報を読み出すことにより、避難者や消防士などが自分がいる位置を容易に確認することができる。
【０１３５】
また、本実施例では、ＲＦＩＤタグ１１は、ＲＦＩＤタグ１１との間で通信をおこなう携帯端末通信履歴データ１１１ｅを防災に係る情報として記憶することとしたので、その情報を読み出すことにより、誰がいつ誘導灯１０付近を通過したかといった情報を消防士などに効率的に提供することができる。
【０１３６】
また、本実施例では、ＲＦＩＤタグ１１は、防災機器維持管理データ１１１ｆを防災に係る情報として記憶することとしたので、その情報を読み出すことにより、防災機器の管理者は、誘導灯１０またはセンサ１４の維持または管理を効率的におこなうことができる。
【０１３７】
また、本実施例では、ＲＦＩＤタグ１１は、避難経路データ１１１ｇを防災に係る情報として記憶することとしたので、その情報を読み出すことにより、避難経路に係る情報を避難者や消防士などに効率的に提供することができる。
【０１３８】
また、本実施例では、ＲＦＩＤタグ１１は、災害状況データ１１１ｈを防災に係る情報として記憶することとしたので、その情報を読み出すことにより、火災の発生箇所や火災の消化状況などの災害発生の状況に係る情報を避難者や消防士などに効率的に提供することができる。
【０１３９】
また、本実施例では、ＲＦＩＤタグ１１は、ＲＦＩＤタグ１１との間で通信をおこなった各リーダ・ライタ搭載携帯端末１２の位置に係る情報を防災に係る情報として記憶することとしたので、その情報を読み出すことにより、各リーダ・ライタ搭載携帯端末１２を有する所有者の位置の情報を消防士などに効率的に提供することができる。
【０１４０】
また、本実施例では、ＲＦＩＤタグ１１が、無線通信により送信された防災に係る情報を記憶し、リーダ・ライタ搭載携帯端末１２が、ＲＦＩＤタグ１１に記憶された防災に係る情報を無線通信により読み取ることとしたので、ＲＦＩＤタグ１１にさまざまな情報を記憶させ、その情報を読み出すことにより、導入コストを安くし、防災に係るさまざまな情報を避難者や消防士などに効率的に提供することができる。
【０１４１】
また、本実施例では、サーバ装置１３が、ＲＦＩＤタグ１１から読み取られた情報に基づいて状況判定をおこなうこととしたので、災害状況の判定を効率的におこなえるシステムを低コストで導入することができる。
【０１４２】
また、本実施例では、サーバ装置１３が、状況判定の結果に基づいて生成された防災に係る情報を、無線通信により受信した情報を記憶するＲＦＩＤタグ１１に送信することによりＲＦＩＤタグ１１に防災に係る情報を記憶させることとしたので、その情報を読み出すことにより、防災に係るさまざまな情報を避難者や消防士などに効率的に提供することができる。
【０１４３】
さて、これまで本発明の実施例について説明したが、本発明は上述した実施例以外にも、特許請求の範囲に記載した技術的思想の範囲内において種々の異なる実施例にて実施されてもよいものである。
【０１４４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１４５】
この他、上記文書中や図面中で示した処理手順、制御手順、具体的名称、各種のデータやパラメータを含む情報については、特記する場合を除いて任意に変更することができる。
【０１４６】
また、図示した各装置の各構成要素は機能概念的なものであり、必ずしも物理的に図示のように構成されていることを要しない。
【０１４７】
すなわち、各装置の分散・統合の具体的形態は図示のものに限られず、その全部または一部を、各種の負荷や使用状況などに応じて、任意の単位で機能的または物理的に分散・統合して構成することができる。
【０１４８】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１４９】
（付記１）施設内に設置され、防災対策に用いられる防災機器であって、
無線通信により送信する防災に係る第１の情報または無線通信により受信した防災に係る第２の情報を記憶するＲＦＩＤタグ
を備えたことを特徴とする防災機器。
【０１５０】
（付記２）前記ＲＦＩＤタグは、無線通信により送信した前記第１の情報に基づいて状況判定がなされることにより生成された情報を前記第２の情報として無線通信により受信して、受信した情報を記憶することを特徴とする付記１に記載の防災機器。
【０１５１】
（付記３）周囲状況に係る情報を取得するセンサをさらに備え、前記ＲＦＩＤタグは、前記センサにより取得された周辺状況に係る情報を前記第１の情報として記憶することを特徴とすることを特徴とする付記１または２に記載の防災機器。
【０１５２】
（付記４）前記ＲＦＩＤタグは、各地点に設置された防災機器の位置に係る情報を前記第１の情報として記憶することを特徴とする付記１、２または３に記載の防災機器。
【０１５３】
（付記５）前記ＲＦＩＤタグは、ＲＦＩＤタグとの間で通信をおこなう通信装置の通信履歴に係る情報を前記第１の情報として記憶することを特徴とする付記１〜４のいずれか１つに記載の防災機器。
【０１５４】
（付記６）前記ＲＦＩＤタグは、防災機器の維持または管理に係る情報を前記第２の情報として記憶することを特徴とする付記１〜５のいずれか１つに記載の防災機器。
【０１５５】
（付記７）前記ＲＦＩＤタグは、避難経路に係る情報を前記第２の情報として記憶することを特徴とする付記１〜６のいずれか１つに記載の防災機器。
【０１５６】
（付記８）前記ＲＦＩＤタグは、災害発生の状況に係る情報を前記第２の情報として記憶することを特徴とする付記１〜７のいずれか１つに記載の防災機器。
【０１５７】
（付記９）前記ＲＦＩＤタグは、ＲＦＩＤタグとの間で通信をおこなった各通信装置の位置に係る情報を前記第２の情報として記憶することを特徴とする付記１〜８のいずれか１つに記載の防災機器。
【０１５８】
（付記１０）防災に係る情報を管理する防災情報管理システムであって、
無線通信により送信する防災に係る情報を記憶するＲＦＩＤタグと、
前記ＲＦＩＤタグが取り付けられ、施設内の各箇所に設置された防災機器と、
前記ＲＦＩＤタグに記憶された防災に係る情報を無線通信により読み取る情報読取手段と、
を備えたことを特徴とする防災情報管理システム。
【０１５９】
（付記１１）周囲状況に係る情報を取得するセンサをさらに備え、前記ＲＦＩＤタグは、前記センサにより取得された周辺状況に係る情報を防災に係る情報として記憶することを特徴とすることを特徴とする付記１０に記載の防災情報管理システム。
【０１６０】
（付記１２）前記情報読取手段により読み取られた情報に基づいて状況判定をおこなう状況判定手段をさらに備えたことを特徴とする付記１０または１１に記載の防災情報管理システム。
【０１６１】
（付記１３）前記ＲＦＩＤタグは、無線通信により受信した防災に係る情報をさらに記憶し、前記状況判定手段により判定された結果に基づいて生成された防災に係る情報をＲＦＩＤタグに送信することによりＲＦＩＤタグに当該情報を記憶させる情報送信手段をさらに備えたことを特徴とする付記１２に記載の防災情報管理システム。
【０１６２】
（付記１４）防災に係る情報を管理する防災情報管理方法であって、
無線通信により送信する情報を記憶するＲＦＩＤタグに防災に係る情報を記憶する情報記憶工程と、
前記ＲＦＩＤタグに記憶された防災に係る情報を無線通信により読み取る情報読取工程と、
を含んだことを特徴とする防災情報管理方法。
【０１６３】
（付記１５）前記情報記憶工程は、周囲状況に係る情報を取得するセンサにより取得された周辺状況に係る情報をＲＦＩＤタグに防災に係る情報として記憶することを特徴とする付記１４に記載の防災情報管理方法。
【０１６４】
（付記１６）前記情報読取工程により読み取られた情報に基づいて状況判定をおこなう状況判定工程をさらに含んだことを特徴とする付記１４または１５に記載の防災情報管理方法。
【０１６５】
（付記１７）前記ＲＦＩＤタグは、無線通信により受信した防災に係る情報をさらに記憶するものであり、前記状況判定工程により判定された結果に基づいて生成された防災に係る情報をＲＦＩＤタグに送信することによりＲＦＩＤタグに当該情報を記憶させる情報送信工程をさらに含んだことを特徴とする付記１６に記載の防災情報管理方法。
【産業上の利用可能性】
【０１６６】
以上のように、本発明に係る防災機器および防災情報管理システムは、システム導入のコストを安くし、防災に係るさまざまな情報を避難者や消防士などに効率的に提供することが必要な防災システムに有用である。
【図面の簡単な説明】
【０１６７】
【図１】本発明に係る防災情報管理処理の概念を示す図である。
【図２】火災発生時におこなわれる防災情報管理処理について説明する図である。
【図３】本実施例に係る防災情報管理システムの構成について説明する図である。
【図４】本実施例に係る防災情報管理処理の処理手順を示すフローチャートである。
【図５】誘導灯１０の近辺にリーダ・ライタ搭載固定端末２０が設置された場合の防災情報管理処理について説明する図である。
【符号の説明】
【０１６８】
１０，１０ａ〜１０ｃ    誘導灯
１１，１１ａ〜１１ｃ    ＲＦＩＤタグ
１１０    通信部
１１１    記憶部
１１１ａ    ＩＤデータ
１１１ｂ    誘導灯位置データ
１１１ｃ    センサ取得データ
１１１ｄ    防災機器作動状況データ
１１１ｅ    携帯端末通信履歴データ
１１１ｆ    防災機器維持管理データ
１１１ｇ    避難経路データ
１１１ｈ    災害状況データ
１１１ｉ    携帯端末現在位置データ
１１２    制御部
１２，１２ａ，１２ｂ    リーダ・ライタ搭載携帯端末
１３    サーバ装置
１３０    通信部
１３１    入力部
１３２    表示部
１３３    記憶部
１３３ａ    ＩＤデータ
１３３ｂ    誘導灯位置データ
１３３ｃ    センサ取得データ
１３３ｄ    防災機器作動状況データ
１３３ｅ    携帯端末通信履歴データ
１３３ｆ    防災機器維持管理データ
１３３ｇ    避難経路データ
１３３ｈ    災害状況データ
１３３ｉ    携帯端末現在位置データ
１３４    状況判定部
１３５    制御部
１４    センサ
１５    クライアント装置
１６    消防署火災監視装置
１７    消防車無線装置
１８    ネットワーク
２０    リーダ・ライタ搭載固定端末
【図１】
2006293774.tif 000003
【図２】
2006293774.tif 000004
【図３】
2006293774.tif 000005
【図４】
2006293774.tif 000006
【図５】
2006293774.tif 000007